(57)【要約】      （修正有）【課題】構造がシンプルで、体積が小さく低コストの簡易空気充填装置を提供する。【解決手段】簡易空気充填装置は、製品に装着されて空気を製品に充填するために用いられ、気嚢上蓋１と気嚢ベース２を含み、気嚢上蓋と気嚢ベースを密封接続することで気嚢３が形成される。気嚢の内部は中空の空気貯蔵室４となっている。且つ、気嚢のうち製品の外部に位置する箇所には吸気孔５が開設されており、製品の内部に位置する箇所には排気孔６が開設されている。吸気孔と排気孔は空気貯蔵室を介して互いに連通する。吸気孔の内側には吸気孔押圧シート７が設けられており、排気孔の外側には排気孔押圧シート８が設けられている。吸気孔押圧シート及び排気孔押圧シートは、それぞれ吸気孔及び排気孔の２つの挿接ピンによって挿接される。吸気孔のうち吸気孔押圧シートから離間する一端には密封部材１０が設けられている。【選択図】図１
0003226652.tif 000002
【実用新案登録請求の範囲】
【請求項１】
製品に装着されて空気を製品に充填する簡易空気充填装置であって、
気嚢上蓋（１）と気嚢ベース（２）を含み、前記気嚢上蓋（１）と気嚢ベース（２）を密封接続することで気嚢（３）が形成され、前記気嚢（３）の内部は中空の空気貯蔵室（４）となっており、且つ、気嚢（３）のうち製品の外部に位置する箇所には吸気孔（５）が開設されており、製品の内部に位置する箇所には排気孔（６）が開設されており、前記吸気孔（５）と排気孔（６）は空気貯蔵室（４）を介して互いに連通し、前記吸気孔（５）の内側には吸気孔押圧シート（７）が設けられており、前記排気孔（６）の外側には排気孔押圧シート（８）が設けられており、前記吸気孔押圧シート（７）及び排気孔押圧シート（８）は、それぞれ吸気孔（５）及び排気孔（６）の２つの挿接ピン（９）によって挿接され、前記吸気孔（５）のうち吸気孔押圧シート（７）から離間する一端には密封部材（１０）が設けられていることを特徴とする簡易空気充填装置。
【請求項２】
前記吸気孔（５）には、外側に突出するフランジ（１１）が設けられていることを特徴とする請求項１に記載の簡易空気充填装置。
【請求項３】
前記吸気孔押圧シート（７）と排気孔押圧シート（８）はいずれも弾性を有する押圧シートであり、前記吸気孔押圧シート（７）及び排気孔押圧シート（８）は前記吸気孔（５）及び排気孔（６）を覆うことが可能であり、且つ、吸気孔押圧シート（７）及び排気孔押圧シート（８）は圧を受けると前記吸気孔（５）及び排気孔（６）を開放可能であることを特徴とする請求項１に記載の簡易空気充填装置。
【請求項４】
前記挿接ピン（９）は挿接部（１２）と位置規制部（１３）を含み、前記挿接部（１２）と位置規制部（１３）は一体成型されており、前記位置規制部（１３）は突起状であり、且つ、位置規制部（１３）は、吸気孔押圧シート（７）及び排気孔押圧シート（８）の内孔（１４）にそれぞれ挿入可能であり、前記位置規制部（１３）の外径サイズは内孔（１４）のサイズよりも大きいことを特徴とする請求項１に記載の簡易空気充填装置。
【請求項５】
前記密封部材（１０）は固定端（１５）及び密封端（１６）を含み、前記固定端（１５）と密封端（１６）は、補強リブ（１７）を介して接続され、前記固定端（１５）はフランジ（１１）に位置決め及び装着され、前記密封端（１６）は、補強リブ（１７）沿いに屈曲して吸気孔（５）を密封可能であり、且つ、密封端（１６）には摘み（１８）が設けられていることを特徴とする請求項１に記載の簡易空気充填装置。
【考案の詳細な説明】
【技術分野】
【０００１】
本考案は、簡易空気充填装置に関し、特に、製品に直接装着される簡易空気充填装置に関する。
【背景技術】
【０００２】
空気が充填される玩具や浮き輪、空気枕、エアマット等の空気充填製品は、不使用時には、携帯や収納が容易となるよう空気を抜いて体積を小さくする。また、使用したいときには製品に空気を充填する必要があるが、最も原始的な空気充填方式は、製品の吹き込み口に人間が口を付けて息を吹き込む方式である。しかし、この場合には時間と労力を要し、不衛生でもある。一方、空気入れ等の道具を使って空気を充填すれば時間と労力が大幅に削減されるが、空気入れ等の道具を持ち運ぶのはやや面倒である。そこで、便利且つ迅速に空気を充填するために、市場には空気充填製品に装着される空気充填装置が出現している。通常、空気充填装置は、互いに接続される気嚢と弁体を含み、弁体に２つの逆止弁が設けられている。気嚢を握ることで、２つの逆止弁経由で空気を製品に注入しつつ、製品内の空気の漏れを回避することも可能である。しかし、このような空気充填装置は構造がやや複雑であり、高コストで体積も嵩む。そのため、空気充填装置が装着された製品の価格が間接的に上昇してしまう。
【考案の概要】
【考案が解決しようとする課題】
【０００３】
本考案は、簡易空気充填装置を提供することを目的とする。当該空気充填装置には弁体を設ける必要がない。そのため、構造がよりシンプルとなり、体積が小さく低コストであり、使用しやすいとの利点を有する。これにより、上記の背景技術で提示した課題が解決される。
【課題を解決するための手段】
【０００４】
上記の目的を実現すべく、本考案は以下の技術方案を提供する。
【０００５】
簡易空気充填装置であって、製品に装着されて空気を製品に充填するために用いられ、気嚢上蓋と気嚢ベースを含み、前記気嚢上蓋と気嚢ベースを密封接続することで気嚢が形成される。前記気嚢の内部は中空の空気貯蔵室となっている。且つ、気嚢のうち製品の外部に位置する箇所には吸気孔が開設されており、製品の内部に位置する箇所には排気孔が開設されている。前記吸気孔と排気孔は空気貯蔵室を介して互いに連通する。前記吸気孔の内側には吸気孔押圧シートが設けられており、前記排気孔の外側には排気孔押圧シートが設けられている。前記吸気孔押圧シート及び排気孔押圧シートは、それぞれ吸気孔及び排気孔の２つの挿接ピンによって挿接される。前記吸気孔のうち吸気孔押圧シートから離間する一端には密封部材が設けられている。
【０００６】
好ましくは、前記吸気孔には、外側に突出するフランジが設けられている。
【０００７】
好ましくは、前記吸気孔押圧シートと排気孔押圧シートはいずれも弾性を有する押圧シートである。前記吸気孔押圧シート及び排気孔押圧シートは、前記吸気孔及び排気孔を覆うことが可能である。且つ、吸気孔押圧シート及び排気孔押圧シートは、圧を受けると前記吸気孔及び排気孔を開放可能である。
【０００８】
好ましくは、前記挿接ピンは挿接部と位置規制部を含む。前記挿接部と位置規制部は一体成型されており、前記位置規制部は突起状である。且つ、位置規制部は、吸気孔押圧シート及び排気孔押圧シートの内孔にそれぞれ挿入可能である。前記位置規制部の外径サイズは内孔のサイズよりも大きい。
【０００９】
好ましくは、前記密封部材は固定端及び密封端を含む。前記固定端と密封端は補強リブを介して接続される。前記固定端はフランジに位置決め及び装着される。また、前記密封端は、補強リブ沿いに屈曲して吸気孔を密封可能である。且つ、密封端には摘みが設けられている。
【考案の効果】
【００１０】
従来技術と比較して、本考案の有益な効果は以下である。
【００１１】
１．本考案の簡易空気充填装置は製品の内部に装着される。また、体積が小さく、携帯しやすい。且つ、当該簡易空気充填装置は、空気の充填時に足で踏み続けることで、気体を製品内に充填可能である。よって、操作が容易であり、使用しやすい。これにより、従来技術の空気充填装置では電気を用いる必要があったり、口で息を吹き込んだりするために不衛生であるとの課題が解決される。
【００１２】
２．本考案は、弁体を設ける必要がないため生産コストが低下し、且つ、空気充填装置が装着される製品の価格を間接的に低下させられる。
【図面の簡単な説明】
【００１３】
【図１】図１は、本考案の分解図である。
【図２】図２は、本考案の構造図である。
【図３】図３は、本考案の図１のＡ部分の拡大図である。
【考案を実施するための形態】
【００１４】
以下に、本考案の実施例の図面を組み合わせて、本考案の実施例の技術方案につき明瞭簡潔に述べる。なお、言うまでもなく、ここで記載する実施例は本考案の一部実施例にすぎず、全ての実施例ではない。本考案の実施例に基づいて、当業者が創造的労働を要することなく取得するその他全ての実施例は、いずれも本考案の保護の範囲に属する。
【００１５】
図１〜図３を参照して、本考案の実施例では、製品に装着されて空気を製品に充填する簡易空気充填装置を提供する。当該空気充填装置は気嚢上蓋１と気嚢ベース２を含み、前記気嚢上蓋１と気嚢ベース２を密封接続することで気嚢３を形成する。前記気嚢３は、自然な状態では直方体状をなしている。前記気嚢上蓋１のサイズは、足で踏みやすいようユーザの靴底のサイズと同様の大きさとする。これにより、製品への空気充填時の労力が削減され、且つ操作が容易となる。前記気嚢３の内部は中空の空気貯蔵室４となっている。且つ、気嚢３のうち製品の外部に位置する箇所には吸気孔５が開設されており、製品の内部に位置する箇所には排気孔６が開設されている。前記吸気孔５と排気孔６は空気貯蔵室４を介して互いに連通する。前記吸気孔５の内側には吸気孔押圧シート７が設けられており、前記排気孔６の外側には排気孔押圧シート８が設けられている。前記吸気孔押圧シート７及び排気孔押圧シート８は、それぞれ吸気孔５及び排気孔６の２つの挿接ピン９によって挿接される。前記吸気孔５のうち吸気孔押圧シート７から離間する一端には密封部材１０が設けられている。
【００１６】
更に、前記吸気孔５には、外側に突出するフランジ１１が設けられている。当該フランジ１１は前記気嚢上蓋１と一体成型される。
【００１７】
更に、前記吸気孔押圧シート７と排気孔押圧シート８はいずれも弾性を有する押圧シートである。前記吸気孔押圧シート７及び排気孔押圧シート８は、前記吸気孔５及び排気孔６を覆うことが可能である。且つ、吸気孔押圧シート７及び排気孔押圧シート８は、圧を受けると前記吸気孔５及び排気孔６を開放可能である。
【００１８】
更に、前記挿接ピン９は挿接部１２と位置規制部１３を含む。前記挿接部１２と位置規制部１３は一体成型されており、前記位置規制部１３は突起状である。且つ、位置規制部１３は、吸気孔押圧シート７及び排気孔押圧シート８の内孔１４にそれぞれ挿入可能である。前記位置規制部１３の外径サイズは内孔１４のサイズよりも大きい。
【００１９】
更に、前記密封部材１０は固定端１５及び密封端１６を含む。前記固定端１５と密封端１６は、補強リブ１７を介して接続される。前記固定端１５はフランジ１１に位置決め及び装着される。また、前記密封端１６は、補強リブ１７沿いに屈曲して吸気孔５を密封可能である。且つ、密封端１６には、吸気孔５から密封端１６を開放しやすいよう摘み１８が設けられている。
【００２０】
動作原理：本考案の簡易空気充填装置は、製品に空気を充填したい場合、密封部材１０の密封端１６を吸気孔５から開放したあと、足で気嚢上蓋１を連続的に踏み付ける。すると、空気貯蔵室４内の気流が排気孔押圧シート８を押すことで排気孔押圧シート８が排気孔６を開放し、空気が排気孔６を通じて製品内に進入可能となる。空気を抜く際には、指で吸気孔５の吸気孔押圧シート７を押し開けて吸気孔５と排気孔６を連通させれば、製品内の空気を外部へと直接漏出させられる。
【００２１】
当業者にとって、本考案は上記の例示的実施例の詳細に限らず、本考案の精神又は基本的特徴を逸脱しないことを前提に、その他の具体的形式でも実現可能なことは言うまでもない。よって、どの点から見ても、実施例は限定を意図するものではなく例示的なものとみなすべきである。本考案の範囲は上記の説明ではなく添付の実用新案登録請求の範囲によって限定される。従って、実用新案登録請求の範囲と同等要件の意味及び範囲に落とし込まれるあらゆる変形が本考案に包括される。また、請求項内のどの符号も関連する請求項を限定するものとみなすべきではない。
【符号の説明】
【００２２】
１  気嚢上蓋
２  気嚢ベース
３  気嚢
４  空気貯蔵室
５  吸気孔
６  排気孔
７  吸気孔押圧シート
８  排気孔押圧シート
９  挿接ピン
１０  密封部材
１１  フランジ
１２  挿接部
１３  位置規制部
１４  内孔
１５  固定端
１６  密封端
１７  補強リブ
１８  摘み
【図１】
0003226652.tif 000003
【図２】
0003226652.tif 000004
【図３】
0003226652.tif 000005